(57)【要約】      （修正有）【課題】小規模需要家の自由化市場への参加を可能にし、広域電力データ総合管理システムを提供する。【解決手段】広域電力データ総合管理システムは、複数の集合需要家である複数の顧客Ａ１〜Ａｎに対して供給元αから送電網２を通じて電力供給を行う広域電力データ総合管理システム１であって、各顧客Ａ１〜Ａｎの受電電力データを収集し送信する計測通信端末３と、データセンタ５の管理コンピュータと、供給元コンピュータα１と、前記各計測通信端末３と管理コンピュータ、通信網４とを有し、管理コンピュータは、顧客Ａ１〜Ａｎの計測通信端末３から送信される電力データに基づき集計し各電力供給元への契約顧客の電力データの送信を行い、更に、顧客Ａ１〜Ａｎ別の使用電力量の集計、最大デマンドデータ算出、電気料金の算出、供給元α別の電気料金の算出、各供給元への契約顧客の電力データの送信を行う構成としたものである。【選択図】図１
2009142023.tif 000002
【特許請求の範囲】
【請求項１】
グループ分けした複数の集合需要家に属する複数の顧客に対して電気事業者である電力供給元から送電網を通じて電力供給を行う系統に組み込んだ総合的な電力データ管理を行う広域電力データ総合管理システムであって、
複数の集合需要家を構成する複数の顧客の各設備に設置され、各顧客の受電電力データをリアルタイムで収集し送信する計測通信端末と、
複数の集合需要家のデマンド管理を含む総合的なデータ管理を行う電力管理機関のデータセンタに配置した管理コンピュータと、
電力供給元に備えた供給元コンピュータと、
前記各計測通信端末と管理コンピュータ、管理コンピュータと供給元コンピュータを接続する通信網と、
を有し、
前記管理コンピュータは、各顧客の計測通信端末からリアルタイムで送信される電力データに基づき集計し各電力供給元への契約顧客の電力データの即時送信を行い、更に顧客別の使用電力量の集計、集合需要家別の最大デマンドデータ算出、顧客別及び集合需要家別の電気料金の算出、電力供給元別の電気料金の算出することを特徴とする広域電力データ総合管理システム。
【請求項２】
グループ分けした複数の集合需要家に属する複数の顧客に対して一般電気事業者、特定規模電気事業者を含む複数の電力供給元から送電網を通じて電力供給を行う系統に組み込んだ総合的な電力データ集計・送信・管理を行う広域電力データ総合管理システムであって、
複数の集合需要家を構成する複数の顧客に設置され、各顧客の受電電力、上水流量及び下水流量、ガス使用量などの積算量データ変圧器温度、漏電電流、室内温度、ＣＯ２濃度などのアナログデータ及び各種警報をリアルタイムで収集し送信する計測通信端末と、
複数の集合需要家のデマンド管理を含む総合的なデータ管理を行う電力管理機関のデータセンタに配置した管理コンピュータと、
電力供給元に備えた供給元コンピュータと、
前記各計測通信端末と管理コンピュータ、管理コンピュータと供給元コンピュータを接続する通信網と、
を有し、
前記管理コンピュータは、各顧客の計測通信端末からリアルタイムで送信される電力データに基づき集計し各電力供給元への契約顧客の電力データの送信を行い、顧客別の使用電力量の集計、集合需要家別の最大デマンドデータ算出、顧客別及び集合需要家別の電気料金の算出、ガス消費量の算出、電力供給元別の電気料金の算出を行うとともに、前記各顧客の上水流量下水流量及びガス使用量、変圧器温度、漏電電流、室内温度、ＣＯ２濃度の各データを各顧客に対する環境対策、設備予防保全支援として記憶・通知することを特徴とする広域電力データ総合管理システム。
【請求項３】
グループ分けした複数の集合需要家に属する複数の顧客に対して一般電気事業者、特定規模電気事業者を含む複数の電力供給元から送電網を通じて電力供給を行う系統に組み込んだ総合的な電力データ管理を行う広域電力データ総合管理システムであって、
複数の集合需要家を構成する複数の顧客に設置され、各顧客の受電電力、上水流量及び下水流量、ガス使用量、変圧器温度、漏電電流、室内温度、ＣＯ２濃度の各データ及び各種警報をリアルタイムで収集し送信する計測通信端末と、
複数の集合需要家のデマンド管理を含む総合的なデータ管理を行う電力管理機関のデータセンタに配置した管理コンピュータと、
電力供給元に備えた供給元コンピュータと、
前記各計測通信端末と管理コンピュータ、管理コンピュータと供給元コンピュータを接続する通信網と、
を有し、
前記管理コンピュータは、
各顧客の計測通信端末からリアルタイムで送信される受電電力データの記憶及び上水流量及び下水流量、ガス使用量、変圧器温度、漏電電流、室内温度、ＣＯ２濃度の各データ及び各種警報の各顧客に対する環境対策、設備予防保全支援として記憶を行う計測データ記憶手段と、
各顧客の計測通信端末からリアルタイムで送信される電力データに基づき、顧客別の使用電力量の集計、集合需要家別の最大デマンドデータ算出、顧客別及び集合需要家別の電気料金の算出、電力供給元別の電気料金の算出を行う演算部と、
演算部の演算結果を記憶する演算データ記憶部と、
各顧客の計測通信端末からリアルタイムで送信される電力データに基づき、各電力供給元への契約顧客の電力データの送信を行う契約先電力データ送信処理部と、
集合需要家に対する電気料金の請求、回収処理を行う集合需要家用料金処理部と、
電力供給元への電気料金の支払い処理を行う供給元用料金処理部と、
を含むことを特徴とする電力データ管理を行う広域電力データ総合管理システム。
【請求項４】
グループ分けした複数の集合需要家に属する複数の顧客に対して一般電気事業者、特定規模電気事業者を含む複数の電力供給元から送電網を通じて電力供給を行う系統に組み込んだ総合的な電力データ管理を行う広域電力データ総合管理システムであって、
複数の集合需要家を構成する複数の顧客の各設備に設置され、各顧客の受電電力、上水流量及び下水流量、ガス使用量、変圧器温度、漏電電流、室内温度、ＣＯ２濃度の各データ及び各種警報をリアルタイムで収集し送信するとともに、顧客の設備に対する制御信号出力機能を備えた計測通信端末と、
複数の集合需要家のデマンド管理を含む総合的なデータ管理を行う電力管理機関のデータセンタに配置した管理コンピュータと、
電力供給元に備えた供給元コンピュータと、
前記各計測通信端末と管理コンピュータ、管理コンピュータと供給元コンピュータを接続する通信網と、
を有し、
前記管理コンピュータは、
各顧客の計測通信端末からリアルタイムで送信される受電電力の記憶及び上水流量及び下水流量、ガス使用量、変圧器温度、漏電電流、室内温度、ＣＯ２濃度の各データ及び各種警報の各顧客に対する環境対策、設備予防保全支援として記憶を行う計測データ記憶手段と、
各顧客の計測通信端末からリアルタイムで送信される電力データに基づき、顧客別の使用電力量の集計、集合需要家別の最大デマンドデータ算出、顧客別及び集合需要家別の電気料金の算出、電力供給元別の電気料金の算出を行う演算部と、
演算部の演算結果を記憶する演算データ記憶部と、
各顧客の計測通信端末からリアルタイムで送信される電力データに基づき、各電力供給元への契約顧客の電力データの送信を行う契約先電力データ送信処理部と、
集合需要家に対する電気料金の請求、回収処理を行う集合需要家用料金処理部と、
電力供給元への電気料金の支払い処理を行う供給元用料金処理部と、
前記室内温度、変圧器温度のデータに基づき顧客別に空調機制御指示、冷凍冷蔵設備制御指示、換気扇制御指示を生成する個別需要家用制御指示生成部と、
を含み、
前記個別需要家用制御信号生成部により生成した空調機制御指示、冷凍冷蔵設備制御指示、換気扇制御指示を管理コンピュータから前記計測通信端末に出力し顧客の空調機制御、冷凍冷蔵設備制御、換気扇制御を実行することを特徴とする広域電力データ総合管理システム。
【請求項５】
グループ分けした複数の集合需要家に属する複数の顧客に対して一般電気事業者、特定規模電気事業者を含む複数の電力供給元から送電網を通じて電力供給を行う系統に組み込んだ広域電力データ総合管理システム用の広域電力データ総合管理プログラムであって、
複数の集合需要家を構成する複数の顧客の各設備に設置した計測通信端末からの受電電力の記憶処理、及び、上水流量及び下水流量、変圧器温度、漏電電流、室内温度、ＣＯ２濃度の各データ及び各種警報の各顧客に対する環境対策、設備予防保全支援としての記憶処理と、
受電電力のデータに基づき、顧客別の使用電力量の集計、集合需要家別の最大デマンドデータ算出、顧客別及び集合需要家別の電気料金の算出、集合需要家別のピーク基本料金の算出、前記電気事業者である電力供給元別の供給基本料金、供給電力量料金の算出の各処理と、
複数の電力供給元に対して、各々の契約先使用電力データをリアルタイムに送信する処理と、
集合需要家に対する電気料金に関する処理と、
電力供給元に対する電気料金に関する処理と
をコンピュータに実行させることを特徴とする広域電力データ総合管理プログラム。
【発明の詳細な説明】
【技術分野】
【０００１】
本発明は、広域電力データ総合管理システム及び広域電力データ総合管理プログラムに関するものである。
【背景技術】
【０００２】
我国における電力事情においては、制度上電力自由化の範囲が拡大されたが、現在、実際の市場での電力自由化による効果は特別高圧受電の需要家に限られているのが実情である。これは、電力市場における託送料金の問題及び同時同量の原則が大きな障害となっていることによる。
【０００３】
最近の情勢として託送料金の問題は、社会問題化の傾向より是正される方向にあるが、他方同時同量の原則は、託送業者（一般電力会社）のリスクを考えると制度上存続することが予想される状況にある。
【０００４】
ここに、同時同量の原則とは、一般電力会社の送電ネットワークを利用する特定規模電気事業者（新規事業者）は、契約した需要家が消費する電力を発電あるいは調達することで供給する義務が生じ、送電電力量と需要家受電電力量を一致させることを要求されるという原則である（電気事業法第２４条の４）。すなわち、デマンド時限の３０分間ごとに送電サービス契約先消費電力に対して±３％の誤差範囲内での電力供給が要求される。最近では、大口需要家向けの電力自由化促進が指向されている。
【０００５】
特許文献１には、本発明に関連する技術として、ローカルエリアの需要電力が所定の契約量を超えないように各ローカルエリアの電気機器の運転を中央監視センタで集中管理するように構成した広域需要電力制御装置が開示されている。
【０００６】
また、特許文献２には、一般電力消費者を対象とし、電力事業者と一般電力消費者とを送電網及び通信回線で接続し、管理対象地域の消費電力量が所定の閾値を超えた場合に電力事業者から一般電力消費者に対して一斉に節電要請を発信するように構成した広域電力量デマンドコントロールシステムが開示されている。
【特許文献１】特開２００１−３２０８３２号公報
【特許文献２】特開２００２−３４５１７７号公報
【発明の開示】
【発明が解決しようとする課題】
【０００７】
本発明が解決しようとする問題点は、上述した同時同量の原則を考慮し、従来電力自由化の恩恵に浴することが不可能な小規模需要家の自由化市場への参加を可能にし、電力エネルギーコストの低減及び電力データ等の時系列管理によるエネルギー消費状況の現状把握を通じて総合的な省電力活動に資することが可能な広域電力データ総合管理システムが存在しない点である。
【課題を解決するための手段】
【０００８】
本発明は、グループ分けした複数の集合需要家に属する複数の顧客に対して電気事業者である電力供給元から送電網を通じて電力供給を行う系統に組み込んだ総合的な電力データ管理を行う広域電力データ総合管理システムであって、複数の集合需要家を構成する複数の顧客の各設備に設置され、各顧客の受電電力データをリアルタイムで収集し送信する計測通信端末と、複数の集合需要家のデマンド管理を含む総合的なデータ管理を行う電力管理機関のデータセンタに配置した管理コンピュータと、電力供給元に備えた供給元コンピュータと前記各計測通信端末と管理コンピュータ、管理コンピュータと供給元コンピュータを接続する通信網とを有し、前記管理コンピュータは、各顧客の計測通信端末からリアルタイムで送信される電力データに基づき集計し各電力供給元への契約顧客の電力データの即時送信を行い、更に顧客別の使用電力量の集計、集合需要家別の最大デマンドデータ算出、顧客別及び集合需要家別の電気料金の算出、電力供給元別の電気料金の算出することを最も主要な特徴とする。
【発明の効果】
【０００９】
請求項１記載の発明によれば、各集合需要家別に小規模需要家である複数の顧客を組み込んだ構成で、各顧客の受電電力データを電力管理機関のデータセンタに配置した管理コンピュータがリアルタイムで受信集計し、即時電力供給元に送信できるのでこの電力データに基づき、従来、特定規模電機事業者が供給を行う場合に必要であった需要化の規模に無関係に発生していた同時同量対策の為のリアルタイム電力データ管理、顧客別の使用電力量の集計、最大デマンドデータ算出、顧客別及び集合需要家別の電気料金の算出作業が軽減されることより特定規模電気事業者から見て非効率性がなくなるので小規模需要家の自由化市場への参加を可能にし、電力エネルギーコストの低減の道が開ける。
更に電力データの時系列管理によるエネルギー消費状況の現状把握を通じて総合的な省電力活動に資することが可能な広域電力データ総合管理システムを提供することができる。
【００１０】
請求項２記載の発明によれば、請求項１記載の発明の効果に加え、各顧客の上水流量及び下水流量、変圧器温度、漏電電流、室内温度、ＣＯ２濃度の各データ及び各種警報管理データを各顧客に対する環境対策、設備予防保全支援として活用することも可能な広域電力データ総合管理システムを提供することができる。
【００１１】
請求項３記載の発明によれば、請求項２記載の発明の効果に加え、集合需要家に対する電気料金に関する処理、電力供給元に対する電気料金に関する処理、ガス使用量に関する処理、各種警報に関する処理をも実行する広域電力データ総合管理システムを提供することができる。
【００１２】
請求項４記載の発明によれば、請求項３記載の発明の効果に加え、顧客の空調機制御、冷凍冷蔵設備制御、換気扇制御をも実行する広域電力データ総合管理システムを提供することができる。
【００１３】
請求項５記載の発明によれば、上述した請求項１乃至４記載の発明の広域電力データ総合管理システムの動作を的確に実行させる広域電力データ総合管理プログラムを提供することができる。
【発明を実施するための最良の形態】
【００１４】
本発明は、従来電力自由化の恩恵に浴することが不可能な小規模需要家の自由化市場への参加を可能にし、電力エネルギーコストの低減及び電力データの時系列管理によるエネルギー消費状況の現状把握を通じて総合的な省電力活動に資することが可能な広域電力データ総合管理システムを提供するという目的を有するものである。
本発明は、上記目的を、グループ分けした複数の集合需要家に属する複数の顧客に対して一般電気事業者、特定規模電気事業者を含む複数の電力供給元から送電網を通じて電力供給を行う系統に組み込んだ総合的な電力データ集計・送信・管理を行う広域電力データ総合管理システムであって、複数の集合需要家を構成する複数の顧客に設置され、各顧客の受電電力、上水流量及び下水流量、ガス使用量などの積算量データ変圧器温度、漏電電流、室内温度、ＣＯ２濃度などのアナログデータ及び各種警報をリアルタイムで収集し送信する計測通信端末と、複数の集合需要家のデマンド管理を含む総合的なデータ管理を行う電力管理機関のデータセンタに配置した管理コンピュータと、電力供給元に備えた供給元コンピュータと、前記各計測通信端末と管理コンピュータ、管理コンピュータと供給元コンピュータを接続する通信網とを有し、前記管理コンピュータは、各顧客の計測通信端末からリアルタイムで送信される電力データに基づき集計し各電力供給元への契約顧客の電力データの送信を行い、顧客別の使用電力量の集計、集合需要家別の最大デマンドデータ算出、顧客別及び集合需要家別の電気料金の算出、ガス消費量の算出、電力供給元別の電気料金の算出を行うとともに、前記各顧客の上水流量、下水流量及びガス使用量、変圧器温度、漏電電流、室内温度、ＣＯ２濃度の各データを各顧客に対する環境対策、設備予防保全支援として記憶する構成により実現した。
【実施例】
【００１５】
以下に、本発明の実施例に係る広域電力データ総合管理システムについて図面を参照して詳細に説明する。
【００１６】
本実施例に係る広域電力データ総合管理システム１は、図１に示すように、グループ分けした複数の集合需要家である会社（Ａ〜Ｚ）に属する複数の個別需要家である顧客（Ａ１〜Ａｎ，・・・Ｚ１〜Ｚｎ）に対して、例えば一般電気事業者及び又は特定規模電気事業者（新規電気事業者）からなる電力供給元α，β，γ（以下、「供給元α，β，γ」という）から送電網２を通じて電力供給を行う配電系統に適用するものである。
【００１７】
すなわち、本実施例に係る広域電力データ総合管理システム１は、顧客（Ａ１〜Ａｎ，・・・Ｚ１〜Ｚｎ）の受電設備等に各々計測通信端末３を例えば所定のレンタル料金を課した態様で設置するとともに、前記配電系統の電力管理を行う電力管理機関のデータセンタ５に管理コンピュータ２１を配置し、管理コンピュータ２１により前記各計測通信端末３からの計測データを通信網４を介してリアルタイムで受信し、この管理コンピュータ２１により、顧客（Ａ１〜Ａｎ，・・・Ｚ１〜Ｚｎ）の個別電力データをグルーピング集計処理し、処理データを専用回線６を介して供給元α，β，γの供給元コンピュータα１，β１，γ１へ配信するように構成している。
【００１８】
前記通信網４は、インターネット網、ＷＡＮ（Ｗｉｄｅ  Ａｒｅａ  Ｎｅｔｗｏｒｋ：広域情報通信網）等により構成することができる。
【００１９】
前記計測通信端末３は、図２に示すように、ＡＩ／ＤＩＯユニット（アナログイン／デジタルイン・アウトユニット）１１と、データログ・通信ユニット１２と、インターネット網に接続するための例えばＡＤＳＬモデム１３と、を有している。
【００２０】
前記データログ・通信ユニット１２は、ＡＩ／ＤＩＯユニット１１を介して顧客（Ａ１〜Ａｎ，・・・Ｚ１〜Ｚｎ）の受電設備からデジタルデータである受電電力積算パルス、ローカル電力積算パルスをリアルタイム（例えば１回／１分）で収集する。また、デジタルデータである上水流量積算パルス、下水流量積算パルスもリアルタイム（例えば１回／１分）で収集する。
【００２１】
また、前記データログ・通信ユニット１２は、顧客（Ａ１〜Ａｎ，・・・Ｚ１〜Ｚｎ）の受電設備からアナログデータである変圧器温度、漏電電流のデータを収集するとともに、顧客（Ａ１〜Ａｎ，・・・Ｚ１〜Ｚｎ）の対象設備からからアナログデータである室内温度、ＣＯ２濃度等のデータ及びデジタルデータである各種警報信号を収集する。
【００２２】
前記データログ・通信ユニット１２は、管理コンピュータ２１から通信網４、ＡＤＳＬモデム１３を介して送信されてくる後述する空調機制御指示、冷凍冷蔵設備制御指示、換気扇制御指示を受信し、ＡＩ／ＤＩＯユニット１１を介して顧客（Ａ１〜Ａｎ，・・・Ｚ１〜Ｚｎ）の図示しない空調機、冷凍冷蔵設備、換気扇への空調機制御信号、冷凍冷蔵設備制御信号、換気扇制御信号を出力する。
【００２３】
前記データセンタ５の管理コンピュータ２１は、図３に示すように、本実施例の広域電力データ総合管理システム１用の管理プログラムを格納したブログムメモリ２２と、管理プログラムに基づき全体の制御を実行する制御部２３と、前記通信網４に接続するためのルータ２４と、前記データログ・通信ユニット１２から送信されてくる各顧客（Ａ１〜Ａｎ，・・・Ｚ１〜Ｚｎ）の受電電力積算パルスのデータ、変圧器温度、漏電電流のデータ、室内温度、ＣＯ２濃度等のデータ及び各種警報信号を記憶する計測データ記憶手段２５と、各種料金算出のための各種データを格納した演算用データ参照テーブル２６と、前記受電電力積算パルスのデータに基づく顧客（Ａ１〜Ａｎ，・・・Ｚ１〜Ｚｎ）別の月次使用電力量（休日平日別・時間帯別）の集計及び会社（Ａ〜Ｚ）別の最大デマンドデータ算出、顧客（Ａ１〜Ａｎ，・・・Ｚ１〜Ｚｎ）別及び会社（Ａ〜Ｚ）別の電気料金の算出、会社（Ａ〜Ｚ）別のピーク基本料金の算出、前記電力供給元α，β，γ別の供給基本料金、供給電力量料金の算出、を実行する演算部２７と、演算処理結果を記憶する演算データ記憶部２８と、前記室内温度、変圧器温度のデータに基づき顧客（Ａ１〜Ａｎ，・・・Ｚ１〜Ｚｎ）別に空調機制御指示、冷凍冷蔵設備制御指示、換気扇制御指示を生成する個別需要家用制御指示生成部２９と、前記供給元α，β，γに対して、顧客（Ａ１〜Ａｎ，・・・Ｚ１〜Ｚｎ）のうちの各々の契約先に該当する顧客の月次使用電力量（休日平日別・時間帯別）データを各々送信する契約先電力データ送信処理部３０と、会社（Ａ〜Ｚ）に対する顧客（Ａ１〜Ａｎ，・・・Ｚ１〜Ｚｎ）に関する合計料金請求、ピーク基本料金処理等を行う集合需要家用料金処理部３１と、供給元α，β，γに対する前記供給基本料金、供給電力量料金に関する料金処理を行う供給元用料金処理部３２と、前記専用回線６に接続する専用インターフェース３３と、各種データ入力を行うキーボード等からなる入力部３４と、各種データを表示する液晶ディスプレイ等からなる表示部３５と、各種データをプリント出力するプリンタ３６と、を有している。
【００２４】
前記管理コンピュータ２１は、さらに、前記顧客（Ａ１〜Ａｎ，・・・Ｚ１〜Ｚｎ）に設置した計測通信端末３のレンタル料の徴収処理も行うようになっている。
【００２５】
図４は、本実施例の広域電力データ総合管理システム１における会社（Ａ〜Ｚ）、データセンタ５、供給元α，β，γ間における料金処理系を示すものである。
【００２６】
なお、図４においては、電力供給元α，β，γに関して、供給元αを一般電気事業者（一般電力会社）とし、供給元β，γを特定規模電気事業者（新規電気事業者）として示している。
【００２７】
次に、本実施例に係る広域電力データ総合管理システム１の動作について電力データ処理及び料金算出処理を主にし、図４及び図５のフローチャートをも参照して説明する。
【００２８】
本実施例に係る広域電力データ総合管理システム１において、前記各計測通信端末３は、会社Ａ〜Ｚの顧客（Ａ１〜Ａｎ，・・・Ｚ１〜Ｚｎ）の受電設備からデジタルデータである受電電力積算パルス、ローカル電力積算パルスからなる電力データをリアルタイム（例えば１回／１分）で収集し、通信網４を介して管理コンピュータ２１に送信する（ステップＳ１）。
【００２９】
また、前記各計測通信端末３は、顧客（Ａ１〜Ａｎ，・・・Ｚ１〜Ｚｎ）の受電設備からアナログデータである変圧器温度、漏電電流のデータ、さらには、上水流量積算パルス、下水流量積算パルス、及び、顧客（Ａ１〜Ａｎ，・・・Ｚ１〜Ｚｎ）の対象設備からからアナログデータである室内温度、ＣＯ２濃度等のデータを各々収集し、これらも通信網４を介して管理コンピュータ２１に送信する（ステップＳ２）。
【００３０】
前記管理コンピュータ２１においては、前記管理プログラムに基づいた制御部２３の制御の基に各計測通信端末３からの前記デジタルデータ、アナログデータが計測データ記憶手段２５に記憶される（ステップＳ３）。
【００３１】
前記管理コンピュータ２１の演算部２７は、前記管理プログラムに基づいた制御部２３の制御の基に、演算用データ参照テーブル２６の格納データを参照して、前記受電電力積算パルスのデータに基づく顧客（Ａ１〜Ａｎ，・・・Ｚ１〜Ｚｎ）別の月次使用電力量（休日平日別・時間帯別）の集計及び顧客（Ａ１〜Ａｎ，・・・Ｚ１〜Ｚｎ）会社（Ａ〜Ｚ）別の最大デマンドデータ算出、顧客（Ａ１〜Ａｎ，・・・Ｚ１〜Ｚｎ）別及び会社（Ａ〜Ｚ）別の電気料金の算出、会社（Ａ〜Ｚ）別のピーク基本料金の算出、前記供給元α，β，γ別の供給基本料金、供給電力量料金の算出、の各処理を実行する（ステップＳ４）。
【００３２】
前記管理コンピュータ２１の契約先電力データ送信処理部３０は、前記供給元α，β，γに対して、顧客（Ａ１〜Ａｎ，・・・Ｚ１〜Ｚｎ）のうちの各々の契約先に該当する顧客の月次使用電力量（休日平日別・時間帯別）データを専用回線５を介して各々送信する（ステップＳ５）。
【００３３】
前記管理コンピュータ２１の集合需要家用料金処理部３１は、前記管理プログラムに基づいた制御部２３の制御の基に、会社（Ａ〜Ｚ）に対する顧客（Ａ１〜Ａｎ，・・・Ｚ１〜Ｚｎ）に関する合計料金請求及び料金回収、ピーク基本料金処理（料金請求及び料金回収）等を実行する（ステップＳ６）。
前記管理コンピュータ２１の電力供給元用料金処理部３２は、前記管理プログラムに基づいた制御部２３の制御の基に、供給元α，β，γに対する前記供給基本料金、供給電力量料金に関する料金処理（支払い処理）を実行する（ステップＳ７）。
【００３４】
特定規模電気事業者（新規電気事業者）である前記供給元β，γは、前記管理コンピュータ２１からの前記供給基本料金、供給電力量料金のデータに基づき、一般電気事業者（一般電力会社）である供給元αに対して、図４に示すように、託送基本料金及び託送電力量料金を支払う（ステップＳ８）。
【００３５】
上述した本実施例に係る広域電力データ総合管理システム１において、前記管理コンピュータ２１の計測データ記憶手段２５に記憶される最大デマンドデータは、会社（Ａ〜Ｚ）に対するデマンド管理に用いられ、また、上水流量積算パルス、下水流量積算パルス、ガス消費量積算パルスの各データは、顧客（Ａ１〜Ａｎ，・・・Ｚ１〜Ｚｎ）の環境対策支援、下水量料金の減免等に用いられる。
また、アナログデータである変圧器温度、漏電電流のデータ、及び、顧客（Ａ１〜Ａｎ，・・・Ｚ１〜Ｚｎ）の対象設備からからアナログデータである室内温度、ＣＯ２濃度等のデータは、顧客（Ａ１〜Ａｎ，・・・Ｚ１〜Ｚｎ）の環境対策、設備予防保全支援に用いられる。
【００３６】
本実施例に係る広域電力データ総合管理システム１においては、データセンタ５は、上述した各種の処理を実行する他、会社（Ａ〜Ｚ）の合計、即ち、データセンタ５の扱い電力量が大規模需要家であることを理由に供給元α，β，γとの間で電気料金値下げ交渉等も実行する。
【００３７】
図６は、本実施例に係る広域電力データ総合管理システム１の会社Ａ等の具体例である契約容量１００ｋＷオフィスビル１００件及び契約容量１００ｋＷ集合住宅１００件からなる会社（集合需要家）に関する夏／平日の集約シミュレーションを示すものである。
【００３８】
すなわち、前記会社の１時間毎２４時間分の電力データ、個別日時負荷推移及び合成電力後の日時負荷推移を示すものである。この場合には、負荷の最大は１３７００ｋＷであり、個別契約時１００ｋＷ×２００件＝２００００ｋＷに比べ、６３００ｋＷの低減効果が有ることが分る。
【００３９】
図７は、図６に示す場合と同様、契約容量１００ｋＷオフィスビル１００件及び契約容量１００ｋＷ集合住宅１００件からなる会社（集合需要家）に関する夏／休日の集約シミュレーションを示すものである。
【００４０】
すなわち、１時間毎２４時間分の電力データ、個別日時負荷推移及び合成電力後の日時負荷推移を示すものである。この場合には、負荷の最大は１２０００ｋＷであり、平日の最大負荷（１３７００ｋＷ）に近い値になっている。
【００４１】
図８は、契約容量１００ｋＷオフィスビル１００件及び契約容量１００ｋＷ集合住宅１００件からなる会社（集合需要家）に関する曜日別消費電力量のデータ、曜日別消費電力量推移及び合成消費量曜日別推移の集約シミュレーションを示すものである。
【００４２】
図８から明らかなように、この会社（集合需要家）の場合、各曜日とも２０００００ｋＷｈ以上の消費電力量が有り、供給元から見て消費電力量が巨大でかつ使用状態が平坦な極めて魅力的な仮想需要家を創出できることが分る。
【００４３】
本実施例に係る広域電力データ総合管理システム１において、前記通信網４をインターネット網とすることで通信速度の問題を解消し、通信方向を上り（ローカル：顧客（Ａ１〜Ａｎ，・・・Ｚ１〜Ｚｎ）からホスト：管理コンピュータ２１）とすることで、既設のイーネットインフラを流用可能とし、下り通信（ホストからローカル）の際に必要となるグローバルＩＰによるコストの問題及びセキュリティの問題を解決している。この点、従来においては、顧客（Ａ１〜Ａｎ，・・・Ｚ１〜Ｚｎ）からの個別データの収集には電話回線又はドゥパ網等による方式が主流であったの大きく相違するところである。
【００４４】
以上説明した本実施例に係る広域電力データ総合管理システム１によれば、会社（Ａ〜Ｚ）、顧客（Ａ１〜Ａｎ，・・・Ｚ１〜Ｚｎ）、供給元α，β，γ、電力管理機関のデータセンタ５は各々下記のような利点を享受することができる。
【００４５】
会社（Ａ〜Ｚ）においては、従来供給元α，β，γとの電力契約の契約単位（１契約／１事業所）における最大デマンドを基準として契約容量（＝基本料金）が決定されていたことにより、複数の顧客（Ａ１〜Ａｎ，・・・Ｚ１〜Ｚｎ）を所有している場合の基本料金は個別の基本料金の合計であったのに対して、顧客（Ａ１〜Ａｎ，・・・Ｚ１〜Ｚｎ）の電力データのリアルタイム集計（例；Ａ１〜Ａｎの集計）により複数の顧客（Ａ１〜Ａｎ，・・・Ｚ１〜Ｚｎ）の時系列集計の最大値を基準とした契約への道が開ける結果、個別最大電力合計と集約後の最大電力との差による契約容量（＝基本料金）低減という経済効果が見込める。
【００４６】
また、顧客（Ａ１〜Ａｎ，・・・Ｚ１〜Ｚｎ）の個別電力データの解析により、電力の使用状況が把握できるようになり、電力の無駄遣い要素の抽出、対策の立案・実行・検証を通じた省電力への取組が可能となる。
【００４７】
電力管理機関のデータセンタ５は、会社（Ａ〜Ｚ）を電力使用パターンの異なる異業種の組合せとすることで、会社（Ａ〜Ｚ）別最大電力合計と時系列合計電力最大値との差を異業種の組合せで大きくすることが可能となり、供給元α，β，γとの最大電力条件による契約容量と会社（Ａ〜Ｚ）別最大電力合計との差の分についての利益が発生する。
【００４８】
また、会社（Ａ〜Ｚ）に関する調達電力量は非常に大きなボリュームとなるので、供給元α，β，γ側から見れば、電力消費量が巨大で使用状態が平坦な極めて魅力的な仮想需要家になることから、
【００４９】
このスケールメリットによる強い交渉力で供給元α，β，γから安く電力を調達することが可能となり、会社（Ａ〜Ｚ）、顧客（Ａ１〜Ａｎ，・・・Ｚ１〜Ｚｎ）、電力管理機関のデータセンタ５各々の利益とすることができる。
【００５０】
供給元α，β，γは、従来において電力消費規模の関係で販売対象にならなかった小規模の顧客（Ａ１〜Ａｎ，・・・Ｚ１〜Ｚｎ）への消費電力供給が可能になることから、供給電力の増加（＝売上増）を見込むことができる。
【００５１】
更には、前記計測通信端末３の供給会社は、顧客（Ａ１〜Ａｎ，・・・Ｚ１〜Ｚｎ）への計測通信端末３の供給による売上収益に加えて、自社顧客を電力管理機関（アグリゲーター）に紹介する仲介ビジネスを通じた利益や、計測通信端末３メンテナンス対応等のビジネスチャンスを見込むことができる。
【００５２】
このようにして、本実施例に係る広域電力データ総合管理システム１によれば、前記電力供給元β，γ等の同時同量対策支援による自由化市場の適用範囲の拡大に資することができるとともに、従来電力自由化の恩恵に浴することが不可能な小規模需要家の自由化市場への参加を可能にし、電力エネルギーコストの低減及び電力データの時系列管理によるエネルギー消費状況の現状把握を通じて総合的な省電力活動に多大に貢献することができる。
【産業上の利用可能性】
【００５３】
本発明は、集合需要家を構成する顧客として、小規模工場、各種商店等が集合している地域や、各種の飲食店、小売店が混在している繁華街商店群が存在する地域等を包含する広域電力データ総合管理システムとして広範に応用可能である。
【図面の簡単な説明】
【００５４】
【図１】本発明の実施例に係る広域電力データ総合管理システムの概略構成図である。
【図２】本実施例に係る広域電力データ総合管理システムの電力データ等の流れを示す説明図である。
【図３】本実施例に係る広域電力データ総合管理システムにおける管理コンピュータのブロック図である。
【図４】本実施例に係る広域電力データ総合管理システムにおける会社、データセンタ、供給元間における料金処理系を示す概略説明図である。
【図５】本実施例に係る広域電力データ総合管理システムの処理の流れを示すフローチャートである。
【図６】本実施例に係る広域電力データ総合管理システムにおける会社（集合需要家）に関する夏／平日の日負荷の集約シミュレーションを示す図である。
【図７】本実施例に係る広域電力データ総合管理システムにおける会社（集合需要家）に関する夏／休日の日負荷の集約シミュレーションを示す図である。
【図８】本実施例に係る広域電力データ総合管理システムにおける会社（集合需要家）に関する曜日別消費電力量のデータ、曜日別消費電力量推移及び合成消費量曜日別推移の集約シミュレーションを示す図である。
【符号の説明】
【００５５】
１    広域電力データ総合管理システム
２    送電網
３    計測通信端末
４    通信網
５    データセンタ
６    専用回線
１１    ＡＩ／ＤＩＯユニット
１２    データログ・通信ユニット
１３    ＡＤＳＬモデム
２１    管理コンピュータ
２２    ブログムメモリ
２３    制御部
２４    ルータ
２５    計測データ記憶手段
２６    演算用データ参照テーブル
２７    演算部
２８    演算データ記憶部
２９    個別需要家用制御指示生成部
３０    契約先電力データ送信処理部
３１    集合需要家用料金処理部
３２    供給元用料金処理部
３３    専用インターフェース
３４    入力部
３５    表示部
３６    プリンタ
Ａ    会社
Ａ１  顧客
Ａｎ  顧客
Ｚ    会社
Ｚ１  顧客
Ｚｎ  顧客
α    供給元
α１  供給元コンピュータ
β    供給元
β１  供給元コンピュータ
γ    供給元
γ１  供給元コンピュータ
【図１】
2009142023.tif 000003
【図２】
2009142023.tif 000004
【図３】
2009142023.tif 000005
【図４】
2009142023.tif 000006
【図５】
2009142023.tif 000007
【図６】
2009142023.tif 000008
【図７】
2009142023.tif 000009
【図８】
2009142023.tif 000010